(57)【特許請求の範囲】
【請求項１】
扉パネル１に形成した取付孔２に扉パネル１の正面側から挿入される本体ケ−ス３の外周部分に、前記取付孔２の周囲部分の扉パネル１の正面に当接する正面鍔部４を連設し、
本体ケ−ス３の中間部に、本体ケース３の左側面に開口する側面開口８と本体ケース３の右側面に開口する側面開口８をそれぞれ有する左右一対のポケット部５，５を形成し、前記各ポケット部５には前記側面開口８の上下部に狭窄肩部２７，２７を上下一対に形成し、前記各ポケット部５の上下内壁面２８，２８の間隔を前記側面開口８側が最も広くて奥に向かうほど狭く設定し、
前記左右一対のポケット部５，５内に左右一対のラッチ体６、６を各ポケット部５の背面開口から本体ケース３の左右方向に摺動可能に収容し、
前記各ラッチ体６の上下部には、ラッチ体６の先端部７がポケット部５の前記側面開口８から突出したときにポケット部５の前記各狭窄肩部２７の内面に当接する上下一対の弾性部材９，９をアーム状に張り出して形成し、
前記各ラッチ体６の先端部７の背面側には、前記取付孔２の孔縁部に摺接してラッチ体６を前記各ポケット部５に没入する方向に摺動させる傾斜カム面１０を形成し、前記各ラッチ体６の先端部７の正面側には、前記取付孔２の周囲部分の扉パネル１の背面に当接する座面部１１を形成し、
前記各弾性部材９の先端に形成した内向き折り曲げ部９ａをポケット部５の前記上下内壁面２８，２８に当接させることによって、前記左右一対のラッチ体６，６を本体ケース３の左右方向に摺動付勢して、各ラッチ体６の前記先端部７を各ポケット部５の前記側面開口８から突出させ、
前記各ポケット部５の背面開口を閉塞する蓋部材１２によって前記各ラッチ体６が本体ケース３の背面方向に移動しないように制止し、本体ケース３にハンドル１３などの機構部品を収容してなるハンドル装置の取付構造。
【請求項２】
本体ケ−ス３の長手方向の一端部には、前記取付孔２に連続して扉パネル１に形成した切欠部３１に扉パネル１の正面側から嵌め込まれ、一部が扉パネル１の背面側に突出する固定突起１４を設け、前記固定用突起１４の背面に螺子孔１５を前後方向に設け、
扉パネル１の背面側から前記固定突起１４に嵌合される固定用ブロック１６には、扉パネル１の背面が当接する座面部１８を正面部に設け、固定用ブロック１６の背面部に開孔した透孔１９を前後方向に設け、透孔１９の背面側から固定用ビス２０を固定用突起１４の螺子孔１５にねじ込んで、本体ケース３を長手方向の一端部において扉パネル１に締付けるようにしたことを特徴とする請求項１に記載のハンドル装置の取付構造。
【請求項３】
左右一対のポケット部５に左右一対のラッチ体６を本体ケース３の左右方向に摺動可能及び本体ケース３の前後方向に調整移動可能に収容し、前記各ポケット部５は前記蓋部材１２に対面する前面側壁面５ａを有しており、前記各ラッチ体６の前面側には、前記前面側壁面５ａに当接する弾性脚部材２１を突設してあり、
本体ケース３に前後方向に螺子孔２２を形成し、蓋部材１２の透孔２３を通して前記螺子孔２２にねじ込んだ調整用ビス２４によって蓋部材１２を本体ケース３の背面側に締付け固定するようにしたことを特徴とする請求項１又は請求項２に記載のハンドル装置の取付構造。
【請求項４】
固定用突起１４を形成した端部とは反対側にある本体ケース３の端部２５の外周輪郭を、固定用突起１４を形成した側にある前記取付孔２の孔縁部を中心とする円弧の内側に入るように形成し、固定用ブロック１６の正面と本体ケース３の背面との間に扉パネル１の差込用余裕空間４２を残して、固定用ブロック１６を固定用ビス２０によって固定用突起１６に予め取付けて置き、
前記差込用余裕空間４２に前記取付孔２の孔縁部を差込んでから、該孔縁部を回転中心として本体ケース３を扉パネル１に向かって回動させるとき、本体ケース３の前記端部２５が前記取付孔２の反対側の孔縁部に衝突したり干渉することなく取付孔２を通過するようにしたことを特徴とする請求項１、請求項２又は請求項３に記載のハンドル装置の取付構造。
【発明の詳細な説明】
【０００１】
【発明が属する技術分野】
本発明は、扉パネルに対するハンドル装置の取付構造に関するものである。
【０００２】
【従来の技術】
従来のハンドル装置では、ハンドル等の機構部品を収容した本体ケ−スは、本体ケ−スの正面端部に連設した取付板部の透孔よりビスを扉パネルの螺子孔に正面側から螺子込むか、扉パネルの透孔よりビスを本体ケ−スの螺子孔に背面側から螺子込むことによって、扉パネルに取り付けていた。
【０００３】
しかしながらこのような取付構造では、ハンドル装置の堅固な取付を実行するためには、扉パネルに本体ケ−スを埋め込み装着する取付孔に加えて、本体ケ−スの長手方向の両端部に近接した部位に螺子孔や透孔を設ける必要があるため、そのための孔開け加工をしなければならない上に、ビス止めの際には扉パネルの正面側からハンドル装置を取付位置に押え付けていなければならなかった。
【０００４】
また、実公平３−５４２７４号公報に開示されたハンドル装置の取付構造では、前端部に化粧板を連設した本体ケ−スの長手方向の一端部に化粧板に対して傾斜した斜面部を設け、扉パネルを化粧板と斜面部との間に挿入してから扉パネルの取付孔にハンドル装置を埋め入れ、他端部に設けた斜面部と係止ブロックとの間に扉パネルを挟み込み、背面側からビスを螺子込んで固定しているが、やはりビス止めの際には、ハンドル装置が扉パネルから外れないように扉パネルの正面側から押え付けていなければならず作業能率が悪かった。
【０００５】
【発明が解決しようとする課題】
従って本発明の目的は、扉パネルに取付ビス用の螺子孔や透孔を一切設ける必要がなく、ビス止めの際にはハンドル装置を扉パネルの正面側から押え付けて仮保持する必要がなく、取付作業を能率良く行えるハンドル装置の取付構造を提供することである。
また、本発明の別の目的は、板厚の異なる各種の扉パネルに適用できる、ハンドル装置の取付構造を提供することである。
【０００６】
【課題を解決するための手段】
以下、添付図面中の参照符号を用いて説明すると、請求項１の発明に係るハンドル装置の取付構造は、扉パネル１に形成した取付孔２に扉パネル１の正面側から挿入される本体ケ−ス３の外周部分に、前記取付孔２の周囲部分の扉パネル１の正面に当接する正面鍔部４を連設し、
本体ケ−ス３の中間部に、本体ケース３の左側面に開口する側面開口８と本体ケース３の右側面に開口する側面開口８をそれぞれ有する左右一対のポケット部５，５を形成し、前記各ポケット部５には前記側面開口８の上下部に狭窄肩部２７，２７を上下一対に形成し、前記各ポケット部５の上下内壁面２８，２８の間隔を前記側面開口８側が最も広くて奥に向かうほど狭く設定し、
前記左右一対のポケット部５，５内に左右一対のラッチ体６、６を各ポケット部５の背面開口から本体ケース３の左右方向に摺動可能に収容し、
前記各ラッチ体６の上下部には、ラッチ体６の先端部７がポケット部５の前記側面開口８から突出したときにポケット部５の前記各狭窄肩部２７の内面に当接する上下一対の弾性部材９，９をアーム状に張り出して形成し、
前記各ラッチ体６の先端部７の背面側には、前記取付孔２の孔縁部に摺接してラッチ体６を前記各ポケット部５に没入する方向に摺動させる傾斜カム面１０を形成し、前記各ラッチ体６の先端部７の正面側には、前記取付孔２の周囲部分の扉パネル１の背面に当接する座面部１１を形成し、
前記各弾性部材９の先端に形成した内向き折り曲げ部９ａをポケット部５の前記上下内壁面２８，２８に当接させることによって、前記左右一対のラッチ体６，６を本体ケース３の左右方向に摺動付勢して、各ラッチ体６の前記先端部７を各ポケット部５の前記側面開口８から突出させ、
前記各ポケット部５の背面開口を閉塞する蓋部材１２によって前記各ラッチ体６が本体ケース３の背面方向に移動しないように制止し、本体ケース３にハンドル１３などの機構部品を収容するものである。
【０００７】
請求項２の発明に係る取付構造は、請求項１の発明の前記構成に加えて、本体ケ−ス３の長手方向の一端部には、前記取付孔２に連続して扉パネル１に形成した切欠部３１に扉パネル１の正面側から嵌め込まれ、一部が扉パネル１の背面側に突出する固定突起１４を設け、前記固定用突起１４の背面に螺子孔１５を前後方向に設け、
扉パネル１の背面側から前記固定突起１４に嵌合される固定用ブロック１６には、扉パネル１の背面が当接する座面部１８を正面部に設け、固定用ブロック１６の背面部に開孔した透孔１９を前後方向に設け、透孔１９の背面側から固定用ビス２０を固定用突起１４の螺子孔１５にねじ込んで、本体ケース３を長手方向の一端部において扉パネル１に締付けるようにしたものである。
【０００８】
請求項３の発明に係る取付構造は、請求項１又は請求項２の発明の前記構成に加えて、左右一対のポケット部５に左右一対のラッチ体６を本体ケース３の左右方向に摺動可能及び本体ケース３の前後方向に調整移動可能に収容し、前記各ポケット部５は前記蓋部材１２に対面する前面側壁面５ａを有しており、前記各ラッチ体６の前面側には、前記前面側壁面５ａに当接する弾性脚部材２１を突設してあり、
本体ケース３に前後方向に螺子孔２２を形成し、蓋部材１２の透孔２３を通して前記螺子孔２２にねじ込んだ調整用ビス２４によって蓋部材１２を本体ケース３の背面側に締付け固定するようにしたことものである。
【０００９】
請求項４の発明に係る取付構造は、請求項１、請求項２又は請求項３の発明の前記構成に加えて、固定用突起１４を形成した端部とは反対側にある本体ケース３の端部の外周輪郭を、固定用突起１４を形成した側にある前記取付孔２の孔縁部を中心とする円弧の内側に入るように形成し、固定用ブロック１６の正面と本体ケース３の背面との間に扉パネル１の差込用余裕空間４２を残して、固定用ブロック１６を固定用ビス２０によって固定用突起１６に予め取付けて置き、
前記差込用余裕空間４２に前記取付孔２の孔縁部を差込んでから、該孔縁部を回転中心として本体ケース３を扉パネル１に向かって回動させるとき、本体ケース３の前記端部２５が前記取付孔２の反対側の孔縁部に衝突したり干渉することなく取付孔２を通過するようにしたものである。
【００１０】
【発明の作用】
請求項１の発明では、ハンドル装置３０を扉パネル１に取り付けるには、本体ケース２を扉パネル１の正面側から取付孔２に押し込む。この押し込み過程において、前記取付孔２の孔縁部がラッチ体６の先端部７の傾斜カム面１０に摺接するため、ラッチ体６はポケット部５に没入する方向に摺動させられる。
ラッチ体６の先端部７が取付孔２を通過した瞬間に、ラッチ体６は弾性部材９の作用によって本体ケース３の側面方向に摺動し、先端部５がポケット部５から突出する。
突出作動したラッチ体６の先端部７の座面部１１が、前記取付孔２の周囲部分の扉パネル１の背面に当接することによって、本体ケース３の正面鍔部４が前記取付孔２の周囲部分の扉パネル１の正面に当接した正規の取付け位置において、本体ケース３を扉パネル１に対して拘束する。
【００１１】
請求項２の発明では、請求項１の発明のように本体ケース３をラッチ体６によって正規位置に拘束した後、扉パネル１の背面側に突き出た固定用突起１４に固定用ブロック１６を扉パネル１の背面側から嵌合し、固定用ブロック１６の透孔１９の背面側から固定用ビス２０を固定用突起１４の螺子孔１５にねじ込むことによって、固定用ブロック１６の座面部１８を扉パネル１の背面に当接させ、本体ケース３の正面鍔部４の長手方向の一端部と固定用ブロック１６の座面部１８との間に扉パネル１を挟み付ける。そのため、本体ケース３は一対のラッチ体６，６と固定用ブロック１６の３点において扉パネル１に対して拘束されることになる。
【００１２】
請求項３の発明においては、請求項１又は請求項２の発明のように本体ケース３を扉パネル１に対して拘束した後、調整用ビス２４の螺子孔２２へのねじ込み量を加減することによって、蓋部材１２を本体ケース３の前後方向に進退させて、ポケット部５の前面側壁面５ａに当接するラッチ体６の弾性脚部材２１を弾性変形させ、扉パネル１の板厚にある程度の差異が存在しても、本体ケース３を扉パネル１に対して緊密に取付けることができる。
【００１３】
請求項４の発明においては、扉パネル１への取付作業の前作業として、固定用ビス２０を必要最小限に緩めることによって、固定用ブロック１６の正面と本体ケース３の背面との間に扉パネル１の差込用余裕空間４２を残して置く。前記余裕空間４２に前記取付孔２の孔縁部を差込んでから、該孔縁部を回転中心として本体ケース３を扉パネル１に向かって回動させる。この回動に当り、本体ケース３の端部２５は前記取付孔２の反対側の孔縁部に衝突したり干渉することなく取付孔２を通過する。
【００１４】
このような回動の終端において、本体ケース２が扉パネル１の正面側から取付孔２に押し込まれることになり、請求項１の発明に関して既に説明した通り、この押し込み過程において、前記取付孔２の孔縁部がラッチ体６の先端部７の傾斜カム面１０に摺接するため、ラッチ体６はポケット部５に没入する方向に摺動させられる。そして、ラッチ体６の先端部７が取付孔２を通過した瞬間に、ラッチ体６は弾性部材９の作用によって本体ケース３の側面方向に摺動し、先端部５がポケット部５から突出する。突出作動したラッチ体６の先端部７の座面部１１が、前記取付孔２の周囲部分の扉パネル１の背面に当接することによって、本体ケース３の正面鍔部４が前記取付孔２の周囲部分の扉パネル１の正面に当接した取付位置において、本体ケース３が扉パネル１に対して拘束される。
【００１５】
【発明の実施の形態】
図示の実施例において、正面鍔部４は縦長の本体ケース３の全周にわたって形成されており、図６，図７及び図８に示したように適当なパッキング部材２６を介して扉パネル１の正面側に突き当てられる。ポケット部５が形成される中間部とは、本体ケース３の上端部と下端部の間のどこかという意味であって、上下端部から等距離の位置にあることを意味しない。
図２７に示したように、ポケット部６は側面開口８の上下部に狭窄肩部２７，２７が形成されており、ラッチ体６の上下部に張り出しアーム状に設けた弾性部材部９，９は、前記肩部２７，２７の内面に係合するようになっている。
各弾性部材９の先端には内向き曲げ部９ａが形成されており、内向き曲げ部９ａはポケット部５の上下内壁面２８，２８に当接している。上下内壁面２８，２８間の間隔は、側面開口８側が最も広く、奥に向うほど狭くなっている。そのため、ラッチ体６は先端部７が側面開口８から突き出るように常に摺動付勢されている。
【００１６】
図８及び図２７に示したようにラッチ体６の後端部の前面側隅部には、円弧アーム状の弾性脚部材２１が設けられ、その先端はポケット部５の前面側壁面５ａの奥側隅部に係合している。本体ケース３の側面方向への付勢手段である弾性部材９と、本体ケース３の前後方向への付勢手段である弾性脚部材２１は、プラスチック材料によってラッチ体６と一体物に成形されている。
蓋部材１２は本体ケース３の背面壁部の横断凹部２９に回転不能に嵌め込まれ、調整用ビス２４は、本体ケース３の背面壁部の中心部に形成した螺子孔２２にねじ込まれる。
【００１７】
本体ケース３の下方端部に形成された固定用突起１４は、取付孔２に連続して扉パネル１に形成した切欠部３１に扉パネル１の正面側から嵌め込まれ、一部が扉パネル１の背面側に突出する。固定用ブロック１６には、固定用突起１４の前記突出部が嵌り込む開口１７を正面側に形成してあり、固定用ブロック１６の位置決めと回り止めを行っている。固定用ブロック１６の上端面は、本体ケース３の下端面３２に当接するようになっており、これによっても固定用ブロック１６の回り止めが行われている。
【００１８】
本実施例では、ハンドル装置３０は、本体ケース３の正面凹部４３に起伏可能に収容されたハンドル１３と、本体ケース３の上方端部２５のすぐ下方に形成された軸受筒部３３に収容された前後方向の施錠軸３４と、該施錠軸３４の後端角軸部３５に相対回転不能に嵌合された止め金板３６とで構成されている。止め金板３６は六角ボルト３７によって施錠軸３４に固着されている。施錠軸３４の前端部はハンドル１３の背面上端部の凹部３８に挿入され、横断枢軸３９によってハンドル１３に連結されている。ハンドル１３の下端部には、ハンドル１３を不使用時に本体ケース３に拘束するための錠前ユニット４０が埋め込み装着されている。蓋部材１２の上端部の円弧状凹部４４は、軸受筒部３３の側面に係合し、回り止めとなっている。
本体ケース３の上方端部２５は板状突起によって構成され、本体ケース３を回転させながら扉パネル１の取付孔２に押し込むとき、取付孔２の上方孔縁部の切欠部４１を支障なく通過する形状になっている。
ハンドル１３と施錠軸３４の間には座金板４５と波形のバネ円盤４６が挿入され、ハンドル１３は没入位置に安定するように付勢されている。
ハンドル装置３０は一例を示したものに過ぎず、本発明の取付構造は、多種多様なハンドル装置に適用することができる。
【００１９】
【発明の効果】
上記のように構成された請求項１の発明の取付構造では、扉パネル１の正面側から本体ケース３を押し込む過程で一対のラッチ体６，６がポケット部５，５に対して自動的に出没動作し、各ラッチ体６の先端部７が取付孔２の周囲部分の扉パネル１の背面に当接し、扉パネル１の正面と当接する本体ケース３の正面鍔部４とともに本体ケース３を扉パネル１に対して拘束するため、扉パネル１に取付ビス用の螺子孔や透孔を一切設ける必要がなく、取付作業を押し込みというワンタッチ動作によって簡単かつ能率良く行える。
【００２０】
上記のように構成された請求項２の発明の取付構造では、一対のラッチ体６，６と正面鍔部４による拘束に加えて、固定用突起１４と正面鍔部４による拘束があるため、本体ケース３の扉パネル１への締付け保持がより強固になされる。
【００２１】
上記のように構成された請求項３の発明の取付構造では、蓋部材１２の透孔２３を通して本体ケース３の螺子孔２２にねじ込んだ調整用ビス２４の締込み量を増減することによって、ポケット部５の前面側壁面５ａに当接する弾性脚部材２１が弾性変形し、ラッチ体６が本体ケース３の前後方向に調整移動するため、板厚の異なる各種の扉パネルに適用することができる。
【００２２】
上記のように構成された請求項４の発明の取付構造では、取付孔２への押し込み操作時の回転中心を提供する固定用ブロック１６は、予め工場からの出荷段階において、固定用ビス２０によって本体ケース３に取付けられているものであり、その後において固定用ビス２０は本体ケース３から取り外されるものではないから、固定用ブロックや固定用ビス２０の脱落や紛失事故がない。
【図面の簡単な説明】
【図１】  本発明の一実施例に係る取付構造を用いたハンドル装置の正面図である。
【図２】  図１のハンドル装置の右側面図である。
【図３】  図１のハンドル装置の背面図である。
【図４】  図１のハンドル装置の止め金板と調整用ビス除去時の背面図である。
【図５】  図１のハンドル装置の拡大底面図である。
【図６】  図１のＡ−Ａ線拡大断面図である。
【図７】  図１のＢ−Ｂ線拡大断面図である。
【図８】  図１のＣ−Ｃ線拡大断面図である。
【図９】  図１のＤ−Ｄ線拡大断面図である。
【図１０】  図１のＥ−Ｅ線拡大断面図である。
【図１１】  図１のＦ−Ｆ線断面図である。
【図１２】  図１のハンドル装置に使用した本体ケースの正面図である。
【図１３】  図１２の本体ケースの右側面図である。
【図１４】  図１２の本体ケースの背面図である。
【図１５】  図１２のＧ−Ｇ線断面図である。
【図１６】  図１２のＨ−Ｈ線拡大断面図である。
【図１７】  図１のハンドル装置が取付けられる扉パネルの正面図である。
【図１８】  図１のハンドル装置に使用した固定用ブロックの正面図である。
【図１９】  図１８の固定用ブロックの背面図である。
【図２０】  図１８のＩ−Ｉ線断面図である。
【図２１】  図１のハンドル装置に使用したラッチ体の正面図である。
【図２２】  図２１のラッチ体の平面図である。
【図２３】  図２１のラッチ体の左側面図である。
【図２４】  図２１のラッチ体の背面図である。
【図２５】  図２１のＪ−Ｊ線拡大断面図である。
【図２６】  図１のハンドル装置に使用した蓋部材の正面図である。
【図２７】  図１のハンドル装置のラッチ体収容部分の半裁拡大縦断面図である。
【符号の説明】
１  扉パネル
２  取付孔
３  本体ケース
４  正面鍔部
５  ポケット部
６  ラッチ体
７  ラッチ体の先端部
８  ポケット部の側面開口
９  弾性部材
１０  傾斜カム面
１１  座面部
１２  蓋部材
１３  ハンドル
１４  固定用突起
１５  螺子孔
１６  固定用ブロック
１７  開口
１８  座面部
１９  透孔
２０  固定用ビス
２１  弾性脚部材
２２  螺子孔
２３  透孔
２４  調整用ビス
２５  本体ケースの他方端部
２６  パッキング部材
３０  ハンドル装置部
４２  扉パネル差込み用余裕空間
【図１】
0003695587.tif 000002
【図２】
0003695587.tif 000003
【図３】
0003695587.tif 000004
【図４】
0003695587.tif 000005
【図５】
0003695587.tif 000006
【図６】
0003695587.tif 000007
【図７】
0003695587.tif 000008
【図８】
0003695587.tif 000009
【図９】
0003695587.tif 000010
【図１０】
0003695587.tif 000011
【図１１】
0003695587.tif 000012
【図１２】
0003695587.tif 000013
【図１３】
0003695587.tif 000014
【図１４】
0003695587.tif 000015
【図１５】
0003695587.tif 000016
【図１６】
0003695587.tif 000017
【図１７】
0003695587.tif 000018
【図１８】
0003695587.tif 000019
【図１９】
0003695587.tif 000020
【図２０】
0003695587.tif 000021
【図２１】
0003695587.tif 000022
【図２２】
0003695587.tif 000023
【図２３】
0003695587.tif 000024
【図２４】
0003695587.tif 000025
【図２５】
0003695587.tif 000026
【図２６】
0003695587.tif 000027
【図２７】
0003695587.tif 000028